(57)【要約】【課題】オーディオ装置やＡＶ装置といった音響機器におけるデジタル再生の音質を向上させるケーシング構造を実現する。【解決手段】オーディオ装置やＡＶ装置といった音響機器におけるＣＤプレーヤー、チューナー、アンプや電源部といったコンポーネントあるいはユニットにおけるケーシング１の全体もしくは一部、例えば天板３及び底板２の双方もしくはいずれか一方を、銅板もしくは銅合金板とする。これにより、内部で発生するデジタルノイズや磁界を吸収するとともに、機械的振動、空気振動による共振や共鳴を防止することによって、歪みのないクリアーな音、音楽を忠実に再現する。ケーシングを構成する天板３や底板２の銅板は、高純度無酸素銅によってある程度厚みのあるものであって、その内面をショットブラスト加工などによって粗面仕上げとするとより効果的である。【選択図】  図１
2004336673.tif 000002
【特許請求の範囲】
【請求項１】
オーディオ装置やＡＶ装置といった音響機器におけるＣＤプレーヤー、チューナー、アンプや電源部などの音響機器を構成するケーシングの、全体もしくはその一部を、良導体でありかつ非磁性体である銅板もしくは銅合金板で形成したことを特徴とする音響機器のケーシング構造。
【請求項２】
ケーシングのうちの天板及び底板の双方もしくはいずれか一方を、良導体でありかつ非磁性体である銅板もしくは銅合金板としたことを特徴とする請求項１記載の音響機器のケーシング構造。
【請求項３】
ケーシングのうちの天板及び底板の双方もしくはいずれか一方を、厚さ４ｍｍ程度以上の厚みのある銅板もしくは銅合金板としたことを特徴とする請求項２記載の音響機器のケーシング構造。
【請求項４】
銅板もしくは銅合金板で形成したケーシング内面の一部もしくは全面を、ショットブラスト加工などによって粗面仕上げとしたことを特徴とする請求項１ないし３のいずれかに記載の音響機器のケーシング構造。
【請求項５】
ケーシングの全部又は一部を構成する銅板を、高純度無酸素銅によって形成したことを特徴とする請求項１ないし３のいずれかに記載の音響機器のケーシング構造。
【発明の詳細な説明】
【０００１】
【発明の属する技術分野】
この発明は、オーディオ装置やＡＶ装置といった音響機器における、ＣＤプレーヤー、チューナー、アンプや電源部といった、音響機器を構成するコンポーネントやユニットのケーシング（キャビネット）構造に関するものである。
【０００２】
【従来の技術】
従来、音響機器における音質向上のための開発として、メーカーサイドにおいて回路設計や構成部品、スピーカーなどの機器そのものの開発が行われてきた。一方、ユーザーサイドでは、リスニングルームの改造や室内での機器や家具の配置といった音響効果の点で工夫し、より良い音質の追求が行われてきた。音響機器の開発の一つとして、音響機器を構成する装置のケーシング、キャビネットについても、例えば特許文献１や特許文献２に開示されるように、スピーカーの振動がディスクプレーヤーなどに伝わらない構造が工夫されている。従来の音響機器におけるケーシングは、多くが鉄板製であって、アルミニウムダイキャストなども採用されている。鉄板の内面に銅が蒸着されたようなものも、ケーシングの材料として一部で採用されている。
【０００３】
なお、近年の音響機器は、デジタル信号によって音の再生が行われるものであるため、理論的にはノイズが少ない高音質の再生が可能となっている。しかしながら、よりハイレベルの音質を追求する上においては、微小な機械的振動だけでなく、微弱なデジタルノイズや磁界の存在が、再生音の音質を低下させているのが現実である。またこのようなノイズは、機器内で発生するだけでなく電源を通じて外部からも侵入する。
【０００４】
【特許文献１】
特開平９−１７１７３号公報
【特許文献２】
特開２０００−１３８９８８号公報
【０００５】
【発明が解決しようとする課題】
鋭意研究の結果、従来の鉄板製ケーシングに収容されたオーディオ装置といった音響機器においては、例えばＣＤドライブのモータなどの回転部品から高い周波数の機械的振動が発生しているとともに、回転駆動や制御のためのモータ、ＬＥＤ回路や各種のスイッチング部品、ＩＣ回路などから種々のデジタルノイズが発生している。また、モータなどの影響で磁界が発生している。そして、これら機械的振動の共鳴が直接的なノイズの発生につながるとともに、ケーシング内におけるデジタルノイズの輻射、磁界の存在が回路へ影響を及ぼし、音質の低下を引き起こしていることが判明した。なお、鉄板の内面に銅を蒸着させた従来のものにおいても、鉄板そのものが磁性体であることから、磁界を除去することはできなかった。
【０００６】
上記、従来技術の欠点に鑑み、本発明はケーシング、キャビネット内で発生する機械的な振動の共振や共鳴と、デジタルノイズの輻射あるいは磁界の影響をできる限り減少させ、よりクリアーで忠実な音を再現することができる音響機器のケーシング、キャビネット構造を実現しようとするものである。
【０００７】
【課題を解決するための手段】
上記目的を達成するために、本発明は、オーディオ装置やＡＶ装置といった音響機器におけるＣＤプレーヤー、チューナー、アンプや電源部などの音響機器を構成するコンポーネントやユニット用ケーシング（キャビネット）１の、全体もしくは一部を良導体でありかつ非磁性体である銅板もしくは銅合金板で形成する。現実的な具体例として、天板３及び底板２の双方もしくはいずれか一方を銅板や真鍮板とする。これにより、ケーシング１内で発生するデジタルノイズが吸収され、デジタルノイズの輻射を回避し、その影響を無くすことができるとともに、磁界を消滅させることができる。
【０００８】
このとき、銅板もしくは銅合金板で形成したケーシング１内面の一部もしくは全面を、一例として天板３及び／又は底板２の内面３ａをショットブラスト加工などによって粗面仕上げとすることができる。これにより、表面積が飛躍的に増大し、機器内で発生するデジタルノイズもしくは機器内に侵入した有害な電波の吸収効果を高め、デジタルノイズの輻射をより効果的に解消させることができる。
【０００９】
銅板は、鉄板に比較して軟質であり比重が大きなものであるため、機械的な振動を吸収する効果がある。そのため、その厚みを大きなもの、すなわち厚さを４ｍｍ程度以上とすると、ケーシング１内で発生した機械的な振動による共振、共鳴を著しく減少させることができる。また、銅板を高純度の無酸素銅によって形成することによって、電磁波、デジタルノイズの吸収効果をより確実なものとし、飛来電磁波が内部に侵入しないためのシールド効果がより向上する。
【００１０】
【発明の実施の形態】
以下、本発明に係る音響機器のケーシング構造の実施形態を、添付の図面に基づいて説明する
本発明は、オーディオ装置などの音響機器、具体的にはＣＤプレーヤー、ＤＡコンバータ、パワーアンプ、コントロールアンプ、電源部、ＤＶＤデッキ、ビデオデッキなどのコンポーネント用のケーシング、もしくはユニットのケーシングに応用することができるものである。
【００１１】
図１は、本発明をＣＤトランスポートのケーシング１に応用した実施形態を示す分解斜視図である。キャビネット、すなわちケーシング１の底面には底板２を、上面には天板３をビスなどで装着することによって一体化し、独立した一台のＣＤトランスポートが形成される。このとき、従来は全てを鉄板によって形成していた。本発明は、ケーシングの一部、例えば底板２及び天板３を、銅板もしくは真鍮などの銅合金板、好ましくは高純度無酸素銅（ＯＦＣ４Ｎ  ９９．９９％）の銅板によって形成する。底板や天板を銅板で構成する場合は、鉄板に比較して軟質で強度が小さいことから、耐荷重を考慮して厚みｔ１，ｔ２を比較的大きなものとする。具体的には数ミリから１２ｍｍ程度の銅板を使用する。このとき、ｔ１，ｔ２は同じである必要はなく、例えばｔ１を５ｍｍ、ｔ２が１５ｍｍであって、目に付き易い天板３のみを高純度無酸素銅とすることで高級感を醸し出すようにすることができる。
【００１２】
勿論、ケーシング１全体を銅板製とするのが最も効果が大きいものであるが、いずれかの部分部分、例えば側面板を銅板もしくは銅合金板とすることによっても一定の効果を発揮することができる。しかしながら、天板３と底板２を銅板もしくは銅合金板とすることによって、従来の製品に手軽に装着して大きな効果を発揮することができる。密閉されたケーシング１の内部には、図１及び図２に示すように、ＣＤドライブ装置４や必要な電気回路を備えた基板５が収蔵されている。図示例の底板２には、図３に示すように通気孔６を穿設している。
【００１３】
図１に示す実施形態のＣＤトランスポートにおいては、ＣＤドライブ装置を駆動することによって、機械的な振動とともに広範囲に及ぶ周波数帯域のデジタルノイズが発生している。また、基板５上の部品類、例えばＩＣ回路からも、スイッチングノイズなどが発生するとともに、モータ類ではその磁石によって磁界が発生している。このような状況下において、デジタル信号の音を再生すると、従来の鉄板製の天板と底板を備えたものでは、たとえ微弱なものであってもデジタルノイズや振動が輻射することによって微妙に影響し合い、本来の音楽信号に歪みを生じることによって音の濁りや不要なふくらみが発生する。
【００１４】
これに対して、ケーシングの一部を銅板もしくは銅合金板とした本発明では、銅の性質に起因して、銅板もしくは銅合金板においてデジタルノイズ及び磁性を吸収するとともに、機械的な振動の共振や共鳴を防止する。その理由は、銅の比重が大きくしかも硬度が低いため振動が伝わりにくい。特に、底板２及び天板３を銅板とし、その厚みを大きくしたものでは、固有振動数の関係からもより大きな防振効果を発揮する。さらに、銅板として高純度の銅を使用するものでは、特に導電性に優れているため、デジタルノイズを確実に吸収し、アルミニウム板のように電磁波を反射しない。さらに、銅板もしくは銅合金板は、鉄板のように磁性体でないため、磁力を吸収して磁界の影響を解消する。図面上記載を省略しているが、ケーシング１と天板３や底板２との取り付けに際し、緩衝材を介在させることによって機械的振動を、より効果的に防止することができる。
【００１５】
図３は、図１に示す実施形態の天板３を下方から見た斜視図である。図２において、点描を施した部分はショットブラスト加工などによって粗面仕上げとした部分である。このように、天板３の内面３ａを粗面仕上げとすることによって、その表面積を飛躍的に増大させることができる。勿論、図示していないが底板２の内面、あるいはケーシングの側面部分を銅板製としたものにおいて、該銅板の内面を粗面仕上げとするものであってもよい。天板の内面と底板の内面の双方もしくはいずれか一方を粗面仕上げとすることによって、デジタルノイズの吸収効果を増大させることができるとともに、例え反射するもの（デジタル輻射）があったとしても、輻射方向がかく乱され実質的にデジタルノイズの輻射を極めて少なくすることができるものである。また、音や機械的な振動に起因する空気振動をも、粗面仕上げによる乱反射の打ち消し効果で吸収もしくは防振効果を一層向上させることができる。
【００１６】
ケーシング１は、天板及び底板、胴を含め全体を銅板もしくは銅合金板とするのが最も効果的である。しかしながら、現実的には、天板３及び底板２を銅板もしくは銅合金板とすることによって大きな効果を発揮することが判明した。このとき、天板３及び底板２は、その両方を銅板もしくは銅合金板とするものがより効果的であるが、その双方もしくはいずれか一方のみを、銅板もしくは銅合金板とするものであっても、一定の効果を発揮することができる。すなわち、振動やデジタルノイズが、天板３もしくは底板２のいずれか一方で輻射することがあっても、他方で機械的な振動及び電気的なデジタルノイズの輻射が吸収される。すなわち、従来の音響機器用のケーシングでは、その内部で輻射を繰り返すことによって本来のデジタル信号を乱すものであるから、天板又は底板の一方のみが銅板であっても大きな効果を奏するものである。
【００１７】
再生しようとするデジタル信号に乱れを生じさせる可能性は、音響機器のあらゆる段階で生じうるものであるから、本発明は音響機器を構成するあらゆる機器のコンポーネントに応用することができ、それぞれに効果を発揮することができるものである。例えば、図３は本発明を電源装置に応用した実施形態の斜視図である。図３に示す電源装置では、ケーシング７の天板８及び底板９を銅板製とし、ケーシング７にビス止めしている。ケーシング７の正面には電源スイッチ１０が配置されている。電源装置に本発明を応用すると、外部から入り込むデジタルノイズを解消もしくは減少させる効果がある。本発明は、オーディオ装置を構成するコンポーネントだけでなく、スピーカーを含む各機能を一体化したステレオユニットのケーシングとしても応用することができるものである。
【００１８】
オーディオ装置を構成するコンポーネントのうち、電源装置に本発明を応用すると、特に大きな効果がある。一般の交流電源はその送電過程で空中に存在する様々な信号やノイズの電磁波が送電線に吸収され、この電源がそのまま電源装置に供給され手入る。したがって、従来の鉄板製のケーシング内においては、ノイズが増幅されて機器の回路に供給されていた。これに対し、本発明では外部から侵入する前記電磁波、ノイズが電源装置によって除去され、クリアーな電気を他のコンポーネントに供給することができるためである。
【００１９】
以上述べたように、本発明では本来のデジタル信号に悪影響を与える機械的な振動やデジタルノイズを吸収、減少させることができることによって、従来は歪みによる不自然なふくらみがあってクリアーさに欠ける状態で再現されていた音楽を、定位が明解であって歪みのないすっきりとした素直で聴きやすいクリアーな音楽として再生することができる。その結果、音楽本来の奥行き、各楽器の距離感やホールの広がりといった微妙な音感を忠実に再現し、自然で誇張や余分な響きのない臨場感あふれる音楽を聴くことができる。この効果は、特定の音域が改善されるというようなものではなく、全音域において忠実な音の再生に効果を発揮するものであるから、どのような音楽、音を再生する場合にも効果を発揮する。
【００２０】
本発明は、ケーシング全体を銅板もしくは銅合金板製として設計することも可能であるが、ケーシングの一部である天板及び底板のみに限定して銅板もしくは銅合金板を採用することによって、従来の機器設計に変更を加えることなく実施することができる。また、これを交換部品として供給し、需要者が手持ちのオーディオ装置に取り付けることにより、その性能を飛躍的に向上させることができるものである。このように、本発明では、ケーシングを導電率に優れるとともに非磁性体である銅板もしくは銅合金製とすることによって、外部から飛来する有害な電波を遮断するより大きなシールド効果と、内部の有害なデジタルノイズをケーシングに逃がすといった顕著なアース効果を発揮するものである。このとき、使用する銅板をより導電率に優れた高純度の銅を使用することによって一層大きなシールド効果、アース効果を発揮することができる。なお、銅板製のケーシングは、その外表面を見栄えのよい焼き付け塗装、内表面を酸化防止や耐薬品性を高めるために樹脂塗料による表面仕上げを施して実施することができる。
また、電源部ケーシングについて、電源部全体のケーシングに本発明を応用するほか、変形実施例として、電源部ケーシングに収容するトランスのケーシングを銅板製とするものであっても、本発明の効果を奏するものである。
【００２１】
【発明の効果】
請求項１記載の本発明に係る音響機器のケーシング構造によれば、音響機器用ケーシングの、全体もしくはその一部を良導体であり、かつ非磁性体である銅板もしくは銅合金板で形成することにより、再生しようとするデジタル信号に乱れを生じさせているデジタルノイズや磁界を吸収して消滅ないし減少させるとともに、機械的な振動の共鳴、共振を回避することができる。これにより、定位が明解で歪みのないクリアーな音、音楽を忠実に再現することができる。
【００２２】
請求項２記載の発明によれば、天板及び底板の双方もしくはいずれか一方を、銅板もしくは銅合金板とすることによって容易に改造し、かつ十分な効果を奏することができる。
【００２３】
請求項３記載の発明によれば、天板や底板を構成する銅板を厚いものとすることによって、銅板自体の質量が増大し振動による共鳴、共振を回避する効果を増大させることができる。
【００２４】
請求項４記載の発明によれば、ケーシング内面の全部もしくは一部をショットブラストのような粗面仕上げとすることによって、その表面積を飛躍的増大させ、デジタルノイズや磁界の吸収効果をより向上させることができる。
【００２５】
請求項５記載の発明によれば、天板や底板を構成する銅板を純度の高い銅を採用することによって、デジタルノイズや磁界の吸収効果をより確実なものとし、飛来電磁波を除去する上においても大きな効果を発揮することができる。
【図面の簡単な説明】
【図１】本発明をＣＤトランスポートのケーシングに応用した実施形態を示す分解斜視図、
【図２】図１に示す実施形態の縦断面図、
【図３】図１に示す実施形態の天板のみの下方斜視図、
【図４】本発明を電源装置に応用した実施形態を示す斜視図。
【符号の説明】
１…ケーシング、  ２…底板、  ３…天板、  ３ａ…内面、  ４…ＣＤドライブ装置、  ５…基板、  ６…通気孔、  ７…ケーシング、  ８…天板、  ９…底板、  １０…電源スイッチ。
【図１】
2004336673.tif 000003
【図２】
2004336673.tif 000004
【図３】
2004336673.tif 000005
【図４】
2004336673.tif 000006